(57)【要約】【課題】血餅捕捉コイルに関する。【解決手段】血餅捕捉コイルは、一形態において、少なくとも１本の内腔を有するカテーテルと、カテーテルの内腔へ挿入できる挿入マンドリルと、一端が挿入マンドリルの先端に連結され、他端が遊動自在である中実の形状記憶コイルから成ることを特徴とする。一形態として、コイルは、二重らせん状ワイヤーにより形成され、拡縮自在であり、拡張形態において長手に沿って直径が変化する単一コイルであってよく、各挿入マンドリルの先端がカテーテルの対応する内腔内で摺動自在であり、コイルの基端及び先端は、それぞれ２本の挿入マンドリルにいずれかに連結され、圧縮形態のときに、カテーテルの内腔内で摺動自在に収容される。【選択図】図９
2007252951.tif 000002
【特許請求の範囲】
【請求項１】
（ａ）少なくとも１本の内腔を有するカテーテルと、
（ｂ）基端及び先端を有し、カテーテルの内腔へ挿入できる挿入マンドリルと、
（ｃ）基端及び先端を有し、一端が挿入マンドリルの先端に連結され、他端が遊動自在である中実の形状記憶コイルから成ることを特徴とする血餅捕捉コイル。
【請求項２】
コイルが弾性であることを特徴とする請求の範囲第１項に記載の血餅捕捉コイル。
【請求項３】
コイルが超弾性であることを特徴とする請求の範囲第１項に記載の血餅捕捉コイル。
【請求項４】
コイルが中実のニチノール・ワイヤーから成ることを特徴とする請求の範囲第１項に記載の血餅捕捉コイル。
【請求項５】
コイルの基端が挿入マンドリルの先端に連結されていることを特徴とする請求の範囲第１項に記載の血餅捕捉コイル。
【請求項６】
コイルの先端が挿入マンドリルの先端に連結されていることを特徴とする請求の範囲第１項に記載の血餅捕捉コイル。
【請求項７】
コイルの直径が約１mm〜約30mmであることを特徴とする請求の範囲第１項に記載の血餅捕捉コイル。
【請求項８】
コイルの長さが約３mm〜約 100mmであることを特徴とする請求の範囲第１項に記載の血餅捕捉コイル。
【請求項９】
コイルの長さが約３mm〜約20mmであることを特徴とする請求の範囲第８項に記載の血餅捕捉コイル。
【請求項１０】
コイルがカテーテルの内腔に挿入され、コイルが変形してほぼ直線状となり、かつコイルが挿入マンドリルの先端から手前に形成されていることを特徴とする請求の範囲第６項に記載の血餅捕捉コイル。
【請求項１１】
コイルが樽形であることを特徴とする請求の範囲第１項に記載の血餅捕捉コイル。
【請求項１２】
コイルが円錐形であることを特徴とする請求の範囲第１項に記載の血餅捕捉コイル。
【請求項１３】
コイルがカップ形であることを特徴とする請求の範囲第１項に記載の血餅捕捉コイル。
【請求項１４】
コイルが円筒形であることを特徴とする請求の範囲第１項に記載の血餅捕捉コイル。
【請求項１５】
コイルが無作為交絡状であることを特徴とする請求の範囲第１項に記載の血餅捕捉コイル。
【請求項１６】
（ａ）少なくとも１本の内腔を有するカテーテルと、
（ｂ）基端及び先端を有し、カテーテルの内腔に挿入できる挿入マンドリルと、
（ｃ）基端及び先端を有し、一端が挿入マンドリルの先端に連結され、他端が遊動自在である二相性コイルから成ることを特徴とする血餅捕捉コイル。
【請求項１７】
コイルが中実の二相性ニチノール・ワイヤーから成ることを特徴とする請求の範囲第１６項に記載の血餅捕捉コイル。
【請求項１８】
挿入要素に連結され直線的形状とコイル形状との間を移動可能でありかつ血管内の閉塞物に係合するコイルを含む血管内閉塞物除去装置であって、
コイルは、中実形状記憶材料で形成され、一端が挿入要素の先端に連結され、挿入要素から先方へ伸長した細長い要素であり、かつ常態でコイル形状に付勢されていることを特徴とする血管内閉塞物除去装置。
【請求項１９】
（ａ）基端、先端並びに前記基端及び前記先端間を貫通する２本の内腔を有するカテーテル、
（ｂ）各々が基端及び先端を有する２本の挿入マンドリル、並びに
（ｃ）中実形状記憶材料による二重らせん状ワイヤーにより形成され、基端及び先端を有し、拡縮自在であり、拡張形態において長手に沿って直径が変化する単一コイルを含み、
各挿入マンドリルの先端はカテーテルの対応する内腔内で摺動自在であり、
コイルの基端及び先端は、それぞれ２本の挿入マンドリルのいずれか一方に連結され、
コイルは、圧縮形態のときに、カテーテルの内腔内で摺動自在に収容されていて、
それにより、カテーテルに対する挿入マンドリルの先方への移動によりコイルのカテーテルに対する先方への移動を可能にし、コイルをカテーテルの内腔から解放してコイルを拡張形態へ展開し、かつカテーテルに対する挿入マンドリルの手前への移動によりコイルのカテーテルに対する手前への移動を可能にしてコイルをカテーテルの内腔内で圧縮形態へ付勢することを特徴とする血餅捕捉コイル装置。
【請求項２０】
コイルが弾性であることを特徴とする請求の範囲第１８項に記載の血管内閉塞物除去装置。
【請求項２１】
コイルが超弾性であることを特徴とする請求の範囲第１８項に記載の血管内閉塞物除去装置。
【請求項２２】
コイルが中実のニチノール・ワイヤーから成ることを特徴とする請求の範囲第１８項に記載の血管内閉塞物除去装置。
【請求項２３】
コイルが弾性であることを特徴とする請求の範囲第１９項に記載の血餅捕捉コイル装置。
【請求項２４】
コイルが超弾性であることを特徴とする請求の範囲第１９項に記載の血餅捕捉コイル装置。
【請求項２５】
コイルが中実のニチノール・ワイヤーから成ることを特徴とする請求の範囲第１９項に記載の血餅捕捉コイル装置。
【請求項２６】
コイルが樽形であることを特徴とする請求の範囲第１８項に記載の血管内閉塞物除去装置。
【請求項２７】
コイルが円錐形であることを特徴とする請求の範囲第１８項に記載の血管内閉塞物除去装置。
【請求項２８】
コイルがカップ形であることを特徴とする請求の範囲第１８項に記載の血管内閉塞物除去装置。
【請求項２９】
コイルが円筒形であることを特徴とする請求の範囲第１８項に記載の血管内閉塞物除去装置。
【請求項３０】
コイルが無作為交絡状であることを特徴とする請求の範囲第１８項に記載の血管内閉塞物除去装置。
【発明の詳細な説明】
【技術分野】
【０００１】
本発明は血栓塞栓症の治療及び血管系からの異物除去に有用な医療装置に係わる。
【背景技術】
【０００２】
関連出願の引照
本願は1996年10月２日付米国特許出願第08／723,619 号、1996年２月２日付米国暫定特許出願第60／011,070 号及び1996年５月31日付米国暫定特許出願第60／018,715 号に対する優先権を請求する。
【０００３】
発明の背景
血栓塞栓に起因する異常、例えば、発作、肺動脈塞栓、末梢血栓、アテローム性動脈硬化などに罹る人は多い。米国ではこれらの異常が病的状態及び死亡の大きい要因となっている。
【０００４】
血栓塞栓症の特徴は血管の閉塞である。この閉塞は粘弾性（ゼリー状）で、血小板、フィブリノーゲンなどの血餅形成タンパクから成る血餅によって惹き起こされる。
【０００５】
血餅が動脈を閉塞すると、組織虚血（酸素及び栄養不足）の状態に陥る。閉塞が持続すれば、虚血が組織梗塞（細胞死）の状態にまで進行する。迅速に血流を回復すれば、梗塞形成には至らず、もし梗塞が形成されても極めて軽度である。血流を回復できなければ、四肢の喪失、胸筋痛、心筋硬塞、発作、極端な場合には死を招く。
【０００６】
血栓による静脈循環の閉塞は血行停止を招き、血行停止は種々の問題を惹起する。肺動脈塞栓の大部分は末梢血管系から始まる塞栓に起因する。血流を回復し、血栓を除去することが極めて重要である。
【０００７】
閉塞した血管の血流を回復するため、すでに種々の技術が採用されている。広く採用されている外科的技術である塞栓摘出では、血管を切開し、先端にバルーンを取付けた器具（例えば、フォガルティ(Fogarty) カテーテル）を閉塞部位へ導入する。血栓を越えた点でバルーンを膨らませ、バルーンを利用して閉塞物を切開点まで引き戻す。次いで、外科医によって閉塞物が除去される。このような外科的技術は有用であるが、患者にとって手術は不快であり、できることなら回避するに越したことはない。さらにまた、フォガルティカテーテルは抜取る際に血管内膜を損傷するおそれがあるからその使用には問題がある。
【０００８】
血流を回復させるため、経皮的方法も利用されている。経皮的な技術として広く行われているのがバルーン血管形成であり、先端にバルーンを取付けたカテーテルを、多くの場合、導入用カテーテルを介して血管に導入する。次いで、先端にバルーンを取付けたこのカテーテルを閉塞点まで送入し、バルーンを膨らませることによって狭窄部位を拡げる。バルーン血管形成は血管狭窄の治療には有効であるが、急性血栓塞栓症の治療には有効でない。
【０００９】
同じく経皮的な技術として、血餅の近傍にマイクロカテーテルを導入し、ストレプトキナーゼ、ウロキナーゼなどのような血栓崩壊剤を注入することによって血餅を溶解させる方法がある。しかし、血栓を崩壊させるには数時間ないし数日を要する。しかも、血栓崩壊剤は激しい出血を起こさせるおそれがあり、使用に耐えられない患者が少なくない。
【００１０】
米国特許第 4,706,671号及び第 5,011,488号はいずれも血栓塞栓物の除去を目的としたコイル片の利用を開示している。しかし、これらの特許が開示している装置はいずれも市販されるには至っていない。米国特許第 4,706,671号はコイル片形成に中空可撓エラストマー材を使用することを教示している。コイル片を中空としたのは、この中空部に液体を注入してコイルを安定させるためである。米国特許第 5,011,488号は装置のオペレーターがコイルの形状及びサイズを変化させることができるように基端及び先端を固定されたコイル片の使用を教示している。しかも、この装置は製造不可能であり、細い脈管内に使用することも不可能である。
【００１１】
解決すべきもう１つの問題は異物の除去である。循環系に入り込む異物としては、カテーテル、ペースメーカー電極、ガイドワイヤーなどの断片や、誤って置き残された塞栓物、例えば、血栓除去用コイルなどが考えられる。異物の除去に利用できるのはループを形成する装置、即ち、異物をこのループで囲み、その直径を縮小することによって異物を捕捉できるループを形成する装置に限られる。しかし、このような装置の使用は困難であり、成果が得られない場合もある。
【００１２】
従って、粘弾性血餅及び異物を除去するため、循環系に容易に導入できる装置の開発が望まれる。また、血管内膜処置中に形成される血栓塞栓を捕捉し、除去する一時的動脈または静脈フィルターとして利用できる装置の実現も望まれる。
【００１３】
【特許文献１】米国特許第 4,706,671号
【特許文献２】米国特許第 5,011,488号
【発明の開示】
【発明が解決しようとする課題】
【００１４】
本発明は上述の開発及び実現が望まれている装置を提供することを課題とする。
【課題を解決するための手段】
【００１５】
上記課題を達成するための本発明による装置は、（ａ）少なくとも１本の内腔を有するカテーテルと、
（ｂ）基端及び先端を有し、カテーテルの内腔へ挿入できる挿入マンドリルと、
（ｃ）基端及び先端を有し、一端が挿入マンドリルの先端に連結され、他端が遊動自在である中実の形状記憶コイルから成ることを特徴とする血餅捕捉コイルである。
【００１６】
好適形態において、コイルは、弾性もしくは超弾性であり、また中実のニチノール・ワイヤーで構成されてよい。
【００１７】
好適形態において、コイルの基端が挿入マンドリルの先端に連結されている。
【００１８】
他の好適形態において、コイルの先端が挿入マンドリルの先端に連結されている。
【００１９】
好適形態において、コイルの直径が約１mm〜約30mmである。
【００２０】
好適形態において、コイルの長さが約３mm〜約 100mmである。
【００２１】
他の好適形態において、コイルの長さが約３mm〜約20mmである。
【００２２】
好適形態において、コイルがカテーテルの内腔に挿入され、コイルが変形してほぼ直線状となり、かつコイルが挿入マンドリルの先端から手前に形成されている。
【００２３】
好適形態において、コイルは、選択により、樽形、円錐形、カップ形、または円筒形であり、更には無作為交絡状であってよい。
【００２４】
上記課題を達成するための本発明による他の形態の血餅捕捉コイルは、
（ａ）少なくとも１本の内腔を有するカテーテルと、
（ｂ）基端及び先端を有し、カテーテルの内腔に挿入できる挿入マンドリルと、
（ｃ）基端及び先端を有し、一端が挿入マンドリルの先端に連結され、他端が遊動自在である二相性コイルから成ることを特徴とする。
【００２５】
上記課題を達成するための本発明による他の形態の装置、挿入要素に連結され直線的形状とコイル形状との間を移動可能でありかつ血管内の閉塞物に係合するコイルを含む血管内閉塞物除去装置であって、
コイルは、中実形状記憶材料で形成され、一端が挿入要素の先端に連結され、挿入要素から先方へ伸長した細長い要素であり、かつ常態でコイル形状に付勢されていることを特徴とする。
【００２６】
上記課題を達成するための本発明による他の形態の装置は、血餅捕捉コイル装置であって、
（ａ）基端、先端並びに前記基端及び前記先端間を貫通する２本の内腔を有するカテーテル、
（ｂ）各々が基端及び先端を有する２本の挿入マンドリル、並びに
（ｃ）中実形状記憶材料による一重コイル状または二重らせん状ワイヤーにより形成され、基端及び先端を有し、拡縮自在であり、拡張形態において長手に沿って直径が変化する単一コイルを含み、
各挿入マンドリルの先端はカテーテルの対応する内腔内で摺動自在であり、
コイルの基端及び先端は、異なる挿入マンドリルに連結され、
コイルは、圧縮形態のときに、カテーテルの内腔内で摺動自在に収容されていて、
それにより、カテーテルに対する挿入マンドリルの先方への移動によりコイルのカテーテルに対する先方への移動を可能にし、コイルをカテーテルの内腔から解放してコイルを拡張形態へ展開し、かつカテーテルに対する挿入マンドリルの手前への移動によりコイルのカテーテルに対する手前への移動を可能にしてコイルをカテーテルの内腔内で圧縮形態へ付勢することを特徴とする。
【００２７】
本発明による装置において、コイルは、好適には選択により、弾性または超弾性であり、中実の二相性ニチノール・ワイヤーで構成されてよい。
【００２８】
更に、コイルの形態は、樽形、円錐形、カップ形、円筒形または無作為交絡状であってよい。
【００２９】
概略的に説明すると、本発明は脈管内から血餅及び異物を除去するのに有用なコイル形装置を提供する。本発明は少なくとも１本の内腔を有するカテーテルを含む。カテーテル内に、挿入マンドリルに連結された血餅捕捉コイルを配置する。血餅捕捉コイルは形状記憶能力を有する非中空の弾性または超弾性材から成る。コイルの弾性または超弾性はコイルがカテーテル内では変形し、カテーテル内腔から抜取られると初期形状を回復することを可能にする。
【００３０】
他の実施態様では、加熱するか、または電流を通すと形状を変える二相性材料を素材としてコイルを形成する。コイルは初期において直線状であり、電流を通すか、または加熱するとコイル状に変化する。
【発明の効果】
【００３１】
変化したコイルを利用することによって脈管中の血餅を捕捉し、除去することができる。血餅捕捉コイル及びカテーテルを、血餅が除去されるか、または危険臓器を連通しない別の脈管へ解放されるまで、手前へ移動させることによって血餅を脈管から抽出する。コイルは血管内膜処置中に形成される血栓塞栓物を捕捉し、除去するための一時的な動脈または静脈フィルターとしても利用できる。コイル先端を異物に到達させ、異物がコイル内側にトラップされるまで血餅捕捉コイルを手前へ移動させることによって異物を捕捉する。体内から装置を取出すことによって異物も一緒に取出される。
【発明を実施するための最良の形態】
【００３２】
図１ａ〜図１ｇには、血餅22が形成された動脈20内に挿入された状態の血餅捕捉装置10を示した。この装置10は少なくとも１本の内腔14を有するカテーテル12と、血餅捕捉コイル18と、挿入マンドリル16から成る。カテーテル12は適当な生体適性材で形成された市販のカテーテルであればよい。典型例としては、カテーテルが１本の内腔14を有し、シリコン、ゴム、ポリ塩化ビニル、ポリウレタン、ポリエステル、ポリテトラフルオロエチレンなどのような可撓エラストマー材で形成される。カテーテルは血管内を進んで血餅22が存在する閉塞部位に達するのに必要な可撓性と長さを持つものでなければならない。カテーテルの長さは約20cm〜約 175cmが普通である。カテーテルの外径も一定ではない。即ち、この外径は約２フレンチ〜約10フレチン（１フレンチ＝ 0.013インチ）が普通である。内径は約１フレンチ〜約９フレンチである。
【００３３】
挿入マンドリル16はコイル18を支持するため比較的高剛度でなければならない。好ましい実施例では、挿入マンドリルはステンレススチール製であり、直径が約 0.006インチ〜約 0.038インチの中実ワイヤーである。挿入マンドリルの素材として、硬質プラスチック、ニチノールなども使用できる。挿入マンドリルは、装置のオペレーター（通常は医師）がカテーテルの基端から突出している基端を把持することによって挿入マンドリルを制御できるように、カテーテルよりも10〜20cm長い。挿入マンドリルには血餅捕捉コイル18が連結されている。一実施例では、コイルが形状記憶能力を有する中実弾性または超弾性材から成る。即ち、直線状に変形可能であり、次いで安定したコイル形状に復帰することができる。
【００３４】
好ましい実施例では、直径が約 0.001〜約 0.038インチの中実ニチノール・ワイヤーでコイルを形成する。医療機器にニチノールを使用することは公知である。ニチノールはその超弾性と形状記憶能力の点で好ましい。ただし、ニチノールと同様に弾性または超弾性と形状記憶能力を有する、例えば、ある種の合成プラスチック材や合金などのような中実材料も利用できる。コイルを形成するには、ニチノール・ワイヤーを所要のコイル形状に従って心棒に巻着する。次いで、冷却と同時に休止形状としてのコイル形状を呈するようにニチノールを適温に加熱する。コイルの直径は閉塞脈管のサイズに応じて設定すればよい。直径は細い脈管に使用する約１mmから肺動脈や下大静脈のような太い脈管に使用する約30mmまで適宜設定すればよい。コイルの長さも一律ではないが、基端から先端まで約３mm〜約 100mmが普通である。ニチノールは超弾性であるから、僅かな力で完全に直線的な形状に伸長することができ、力を除けば本来の休止形状に戻る。使用に際しては、挿入マンドリルを利用してコイルを伸長させることにより、コイルとマンドリルをカテーテルの細い内腔に挿入する。
【００３５】
他の実施例では、加熱するか、または電流を通すと形状を変える中実二相性材料でコイルを形成する。好ましい材料としては、初期状態で直線的形状を呈し、電流を通すか、または加熱するとコイルの形状となる二相性ニチノールが挙げられる。目的は違うが、二相性ニチノールの利用は医療分野においてすでに公知である。初期状態では直線的形状を呈するが、所要のコイル形状に変化するように二相性ニチノール・コイルを製造することは公知の技術で可能である。当業者には明らかなように、初期のコイル形状が常態の形状であり、電流を通したり、加熱したりすると直線的形状となるように二相性コイルを製造することも可能である。
【００３６】
形状記憶コイル片にも二相性コイル片でも設定し得るその形状は多様である。図示の実施例の同様の構成部分には同様の参照番号を付してある。図１ａ〜図１ｆに示す実施例の場合、コイルは樽状であり、コイルの直径は先端及び基端において比較的小さく、コイルの中央において比較的大きい。典型的なコイル形状においては、コイルの直径は基端及び先端での約２mmから中央部での10mmまで次第に大きくなる。ただし閉塞脈管の相対サイズに応じてこれらの直径サイズを適宜選択すればよい。コイルの基端は小さい円形ループ26によって画定される。好ましい実施例では、円形ループはステンレススチールのワイヤーを囲み、ワイヤーに沿って摺動自在である。樽形コイルの先端は挿入マンドリルの先端24に恒久的に連結されている。即ち、この実施例では、コイルは挿入マンドリルの先端から手前に形成されている。好ましい実施例においては、コイルを挿入マンドリルの先端に溶接する。コイルを恒久的に連結する手段として、クリンピング、接着、ねじ固定などを利用することもできる。
【００３７】
図２ａ〜図２ｆには図１とは異なるコイル形状を示した。この実施例の場合、コイル30の基端を挿入マンドリル16の先端24に連結する。即ち、コイルは挿入マンドリルの先端から前方に形成されている。コイルの先端32は遊動自在である。コイルは円錐形であり、その直径は自由端32にむかって次第に小さくなる。コイルが基端に連結されている実施態様は後述するように、細い、及び／または曲がりくねった脈管がこの血餅除去用として好ましい。
【００３８】
コイルのサイズ及び形状は必ずしも一律ではなく、種々の実施態様をそれぞれ図示した。図３はコイル34の基端を挿入マンドリル16の先端に取付けた実施例を示す。即ち、コイルは挿入マンドリルの先端から前方に形成されている。このコイルは倒立円錐状であり、コイルの直径は先端にむかって次第に大きくなる。この実施態様は大脳及び冠状循環系の細い（直径１〜２mm）脈管からの血餅回収に特に有用である。この実施例におけるコイルの直径は約１mm〜約３mmが普通であるが、閉塞脈管の相対サイズによってはもっと大きくてもよい。
【００３９】
図４は円錐状コイル36を示し、コイルの先端が挿入マンドリルの先端に連結されている。図５はコイル38が巻数／インチが比較的多くなるように密に巻着したことを除けば図４と同様の実施例を示す。図４においても図５においても、コイル片は挿入マンドリルの先端から手前へ形成されている。
【００４０】
図６はコイル42の基端を挿入マンドリルの先端に連結した実施例を示す。コイルは倒立カップ状であり、最先端に達するまでは一定の直径を有し、最先端において直径が小さくなる。
【００４１】
図７はコイルが手前にむかってではなく、先端から前方へ形成されるように樽形コイル40を挿入マンドリルの先端に連結したことを除けば図１ａ〜図１ｆと同様の実施態様である。
【００４２】
図８の実施態様は二重らせんコイル構成であり、大きい血餅の除去に有用である。この構成は、１本のワイヤを使用して二重らせんコイルを形成する。コイル44及びコイル46の端部は挿入マンドリル16の先端に連結されている。好ましい実施例では、これら端部を溶接線45, 47において挿入マンドリル16に溶接する。コイルは休止状態において二重らせん形状を呈するように熱処理されている。２つのらせん48, 50は絡み合い、各らせんの頂部が点52においてつながっている。挿入マンドリルを動かすことによって二重らせんコイルを単腔カテーテル内に引込むと、らせんが伸長して、コイルが完全にカテーテル腔に収まる。挿入マンドリルを反対方向へ動かせば、コイルはカテーテル腔から押出され、再び二重らせん形状に戻る。
【００４３】
図９は二重らせんを２本内腔カテーテル56と併用する二重らせん実施態様を示す。内腔58, 60はそれぞれ挿入マンドリル16, 16′を収容する。各挿入マンドリルはコイルの一端に恒久的に連結されている。挿入マンドリルの基端には、各挿入マンドリルの相対空間関係を一定に維持する連結バー17を必要に応じて設ける。この実施例では、らせんをカテーテル内に引き込むと、各らせんは直線状になり、それぞれの内腔に収容されて互いに分離した状態に維持される。挿入マンドリルを操作してらせんを展開させると、らせんは再び二重らせん構造に戻る。連結バー17を採用すれば、挿入マンドリルの操作によって展開する各らせんが互いに一体となり、完全に展開すると所要の二重らせん構造となる。
【００４４】
図13は血液透析患者の外科処置に起因する動静脈瘻中の血餅除去に特に有用な約２cm〜約10cmの長いコイル 140を示す。この種のコイルは外科処置によって形成されたバイパス移植内の長い血餅や、静脈系中の長い血餅を除去する目的でも利用できる。動静脈瘻は外科処置の結果、血液透析患者の前腕に形成されるのが普通であり、血液透析のため血流へのアクセスを容易にする。しかし、この瘻は長い血餅で詰まることが多く外科的に修復するか、さもなければ新しい瘻を形成しなければならない。長い血餅捕捉コイル 140はその基端が挿入マンドリル16に連結されている。
【００４５】
図14及び図15はさらに別の２つのコイル構造を示す。図14は挿入マンドリル16の先端に取付けた円筒形コイル 150を示す。図15は挿入マンドリル16に取付けた無作為交絡コイルを示す。無作為交絡はコイル材料を無作為に押出し成形することによって製造される。このような方法で形成される無作為交絡は製造するごとにその交絡態様が異なるから、図15に示す無作為交絡はあくまでも説明のための１例でしかない。
【００４６】
図10ａ及び図10ｂは内腔74を有する導入器72を使用する場合を示す。導入器72は比較的短い（10〜20mm）単腔カテーテルであり、本発明のカテーテル12へ挿入する前に、図２，３，６及び７に示したように先端から前方へ形成されている形状記憶コイル片を直線状にするのに利用される。図13の動静脈瘻コイルを併用する際にはもっと長い導入器を使用することになる。挿入マンドリルは逆方向から（図10ａの矢印方向）導入器に挿入される。導入器が形状記憶コイル片に達すると、コイル片はほとんど直線状に伸長する。先端から前方へ形成されているコイル片の場合、導入器及びカテーテルの内径は挿入マンドリル及びコイル片の直径よりも僅かだけ大きく設定される。即ち、挿入マンドリル及びコイルがそれぞれ直径 0.008インチのワイヤーで形成されている場合には、導入器の内径は１〜２フレンチであることが好ましい。コイルが完全に直線状になると、導入器内のコイルはカテーテルと整列状態となり、カテーテル内へ押入される。
【００４７】
本発明の実施態様のいくつかを以上に説明した。本発明の使用態様のいくつかを以下に説明する。
【００４８】
使用に際しては、血栓塞栓障害の徴候を有する患者をＸ線による血管撮影で検査することにより、閉塞部位を見つけ、診断結果を確証する。次に、適当な脈管（通常は大腿動脈または大腿静脈）に太い導入カテーテル（図12）を挿入する。次いで、この太い導入カテーテルを介して脈管へ細いカテーテル、即ち、マイクロカテーテル12を導入し、ガイドワイヤーなどを利用して閉塞脈管へ押入する。さらにカテーテル12を前進させて粘弾性血餅を貫通させる。貫通したカテーテルに、挿入マンドリルを操作することによって血餅捕捉コイルを導入し、カテーテの先端まで進める。挿入マンドリルから前にむかって形成されている形状記憶血餅捕捉コイルの場合（図１ａ〜図１ｆ）、コイル及び挿入マンドリルをカテーテルの基端へ直接導入し、先端にむかって押し進める（図１ｂ）。挿入マンドリルから前方へ形成されている形状記憶血餅捕捉コイルの場合（図２ａ〜図２ｅ）、図10ａ及び図10ｂに示す導入器を上述のように利用する。二相性コイルの場合、常態において直線状のものならばそのまま、常態においてコイル形状を呈するものならば電流を通すか加熱するかして直線状にしてから導入する。
【００４９】
カテーテル及び血餅捕捉コイルが血餅を横断したら、挿入マンドリルをカテーテル先端にむかって移動させる。形状記憶コイルの場合、コイルが展開してカテーテル先端を出た位置で本来の形状に戻る。図１ｃと図２ｃを比較すれば明らかなように、挿入マンドリル先端から前方へ形成されている形状記憶コイルならば、カテーテル内腔からコイルの一部が解放されるや否やコイル形状に戻り始める。この実施態様は挿入マンドリル及びコイルを前進させる余地が少ない細いか、曲がりくねっているか、あるいは細くて曲がりくねっている脈管からの血餅除去に特に有用である。他方、形状記憶コイルが挿入マンドリルの先端から手前にむかって形成されている実施態様においては、コイルが本来のコイル形状に戻るにはその全長がカテーテルに内腔から解放されねばならない。この実施態様はコイルを支持し易く、コイルの各ループが互いに密着できるから、太い脈管からの血餅除去に有用である。例えば図１ｃ〜図１ｆに示すように、挿入マンドリルの周りに摺動自在なループ26によって画定されるコイル基端が先ず血餅と遭遇する。摺動自在なループはコイルが二重倒立円錐を形成するまで先端にむかって摺動する。コイルがオーバーラップすることで大きい血餅の除去に必要な高い安定性を与えられる。
【００５０】
常態において直線状である場合、コイル形状とするために電流や熱を利用しなければならないことを除けば、二相性コイルも同様に展開する。常態においてコイル形状を呈する場合には給電または加熱を停止することによってコイル形状に戻すことができる。
【００５１】
次いで挿入マンドリルをカテーテルと共に手前へ引くことによって血餅を回収する。血餅捕捉コイルを手前へ引き寄せると、血餅が捕捉される。さらに、挿入マンドリルを手前へ引きながら、挿入マンドリルを回転させることによってコイルを回転させ、血餅をコイル内にねじ込んで放れないようにする。血餅は粘弾性を有するから、側壁を形成するコイルループの内側に血餅を捕らえ、捕捉カップとして作用する先端部のコイルループを利用して引き下ろすことができる。次いで、血餅を完全に除去するか、または外頸動脈のような危険臓器に連通しない脈管へ解放すればよい。
【００５２】
特に有用な導入カテーテルを図11に示した。導入カテーテル 110は単腔タイプであり、基端付近にＹ字形ジャンクションを有する。この導入カテーテルは標準的な市販の導入カテーテルである。導入カテーテル 110は２つのポート112, 114を有する。ポート 112は導入カテーテルの長手軸線上に位置し、本発明のカテーテル12、コイル30及び挿入マンドリル16の挿入に利用される。導入カテーテルの長手軸線から角度をへだてた位置を占める他方のポート 114には真空源からの吸引管が接続される。導入カテーテルの先端 116には、導入カテーテルの使用中にＸ線手段で位置探査できるマーカーバンド 118が配置されている。
【００５３】
実際の使用に際しては、Ｘ線透視下で誘導しながら、閉塞動脈内の血餅付近の位置まで太い脈管及び脈管系に導入カテーテル 110を挿入する。次いで、カテーテル12をポート 112から導入カテーテルに挿入し、カテーテル12の先端を導入カテーテルの先端 116から突出させる。次に、カテーテル12を前進させて血餅を貫通させる。ここで、コイル30と挿入マンドリル16をカテーテル12に挿入する。次いで、コイル30が脈管内に展開するまで挿入マンドリルをカテーテル12に沿って前進させる。ここで挿入マンドリルを手前に引くことにより、コイルの内側に血餅をトラップしたのち、カテーテル、コイル及び血餅を導入カテーテル 110の先端 116にむかって引き寄せる。血餅とコイルが先端 116に到達したら、ポート 114を介して吸引力を作用させることによって血餅の一部を先端 116内へ吸引する。吸引作用により、血餅はコイル内側に保持される。最後に、導入カテーテル 110、カテーテル12、血餅及びコイル30を患者の体内から取出す。
【００５４】
図12は下肢に静脈血栓を有する患者の下大静脈内にフィルターとして本発明を利用する場合を示す。大腿静脈 122を通って心臓 126の下方の下大静脈 128に市販の導入カテーテル 130を進める。次いで、導入カテーテル 130にカテーテル12を挿入する。さらに、カテーテル12にコイル 120及び挿入マンドリル16を挿入し、下大静脈内にコイル 120を展開させる。コイル 120は約20mm〜30mmの大きい直径を有し、展開した状態で下大静脈内壁とぴったりと嵌合する。コイルはフィルターとして作用し、血栓の断片が肺へ運ばれることなくコイル内にトラップされる。トラップされた血栓断片を患者の体内から除去することができる。
【００５５】
血餅捕捉コイルにトラップされるのが血餅ではなく異物であるという点を除けば、異物の除去も同様行われる。
【００５６】
以下に述べる例は本発明の使用例である。これらの例はあくまでも本発明の理解を助けるのがその目的であり、本発明を制限するものではない。
【実施例１】
【００５７】
血餅捕捉コイルをブタで臨床的に試験した。先ずブタの大腿動脈を分離し、大径の市販導入カテーテルを大腿動脈に挿入した。動脈血を採取し、試験管内で凝固させた。
導入カテーテルに動脈カテーテルを通し、頸動脈に挿入した。凝固した動脈血を、動脈カテーテルを介して頸動脈支管内へ送入した結果多くの塞栓が形成された。
血管造影を利用して塞栓の位置を検出した。血管造影しながら、閉塞頸動脈に（外径３フレンチ、内径１フレンチの）マイクロカテーテルを挿入した。挿入に際してはガイドワイヤーと標準的なマイクロカテーテル配置技術を利用した。マイクロカテーテルを血餅を越える位置まで進めた。
小径の導入器を使用して、挿入マンドリルに連結した形状記憶血餅捕捉コイルをマイクロカテーテルに挿入した。コイル形状は図２ａに示すのと同じ形状であった。コイルは挿入マンドリルから前方へ形成されているから、血餅捕捉コイルをマイクロカテーテルに導入するには小径の導入カテーテルを使用しなければならなかった。導入カテーテルの内径はマイクロカテーテルの外径そのものであった。コイルが超弾性であり、導入器の内径が小さいから、血餅捕捉コイルは直線状になった。コイルが導入器内に完全に挿入されると、導入器はマイクロカテーテルと整列し、この時点でコイルをマイクロカテーテルに押入した。
挿入マンドリルを操作して血餅捕捉コイルをマイクロカテーテルに先端までゆっくりと進めた。挿入マンドリルを押入すると、マイクロカテーテルの先端からコイルが顔を出し始めた。先端から突出するコイル部分が次第に大きくなるに従って、コイルが展開し、図２ｃに示すような本来のコイル形状に戻った。
次いで、血餅捕捉コイルを手前に引いて血餅を捕捉した。手前へ引きながら、挿入マンドリルを回転することによってコイルを回転させ、血餅をコイルと咬合させて放れないようにした。最後に、マイクロカテーテル、挿入マンドリル、及び血餅捕捉コイル内の血餅をブタの大腿動脈から取出すことによって、ブタの体内から血餅を完全に除去した。
【実施例２】
【００５８】
図３に示す形状記憶血餅捕捉コイル構造を使用して例１の手順通りに試験した。血餅は完全にトラップされ、ブタの閉塞大腿動脈から除去された。
【実施例３】
【００５９】
図４に示す形状記憶血餅捕捉コイルを使用して例１の手順通りに試験した。この実施態様ではコイルが挿入マンドリル先端から手前にむかって形成されているから、小径導入器を使用せずに直接マイクロカテーテルに血餅捕捉コイルを挿入した。閉塞頸動脈内の血餅をコイル内にトラップし、完全に除去した。
上記の例からも明らかなように、本発明の血餅捕捉コイルは血栓塞栓物質及び異物を血管から除去することを可能にする。図面に基づいて本発明の実施態様と使用態様を説明したが、当業者には明らかなように、本発明の思想を逸脱することなく多様な変更が可能である。従って、本発明は添付する請求の範囲に記載の思想によってのみ制限される。
【図面の簡単な説明】
【００６０】
【図１ａ】閉塞動脈を、マイクロカテーテル及び本発明の血餅捕捉コイルと共に略示する説明図である。
【図１ｂ】閉塞動脈を、閉塞箇処に挿入されたマイクロカテーテル及び血餅捕捉コイルと共に略示する説明図である。
【図１ｃ】閉塞動脈内における血餅捕捉コイルの配置を略示する説明図である。
【図１ｄ】閉塞動脈内の血餅と接触する本発明の血餅捕捉コイルを略示する説明図である。
【図１ｅ】閉塞動脈内の血餅を捕捉する血餅捕捉コイルを略示する説明図である。
【図１ｆ】血餅捕捉コイルによって閉塞動脈内を運ばれる図１ｅの血餅を略示する説明図である。閉塞動脈を、マイクロカテーテル及び本発明の血餅捕捉コイルと共に略示する説明図である。
【図１ｇ】図１ｅの動脈及びカテーテルの１ｇ−１ｇ線における断面図である。
【図２ａ】閉塞動脈及び血餅捕捉コイルの他の実施例を略示する説明図である。
【図２ｂ】閉塞動脈内の血餅中を通過するマイクロカテーテル及びカテーテル内で伸長状態となった血餅捕捉コイルを略示する説明図である。
【図２ｃ】閉塞動脈内の血餅捕捉コイルの配置を略示する説明図である。
【図２ｄ】閉塞動脈内の血餅を捕捉する血餅捕捉コイルを略示する説明図である。
【図２ｅ】粘弾性血餅中にもぐり込んだコイルの捕捉及び除去作用を示す、血餅捕捉コイルによる血餅除去を略示する説明図である。
【図２ｆ】図２ｄの動脈及びカテーテルの２ｆ−２ｆ線における断面図である。
【図３】コイル形状の他の実施例である。
【図４】コイル形状のさらに他の実施例である。
【図５】コイル形状のさらに別の実施例である。
【図６】コイル形状のもう１つの実施例である。
【図７】さらに異なるコイル形状である。
【図８】二重らせんコイル形状及び単一内腔カテーテルである。
【図９】二重らせんコイル形状及び２本内腔カテーテルである。
【図１０ａ】血餅捕捉コイル及び導入器を略示する説明図である。
【図１０ｂ】図10ａの導入器の内腔中で直線状になった血餅捕捉コイルを略示する説明図である。
【図１１】側壁に吸引ポートを有する導入カテーテルに挿入された本発明の平面図である。
【図１２】コイル片が患者の下大静脈内に位置するように導入カテーテル内に挿入された本発明の簡略図である。
【図１３】血液透析患者の外科手術に起因する動静脈瘻からの血餅除去に特に有用なコイル形状である。
【図１４】さらに異なるコイル形状である。
【図１５】別のコイル形状である。
【符号の説明】
【００６１】
１０    装置
１２，５６    カテーテル
１４，５８，６０    内腔
１６    挿入マンドリル
１８    血餅捕捉コイル
２２    血餅
４４，４６    二重らせんコイル
【図１ａ】
2007252951.tif 000003
【図１ｂ】
2007252951.tif 000004
【図１ｃ】
2007252951.tif 000005
【図１ｄ】
2007252951.tif 000006
【図１ｅ】
2007252951.tif 000007
【図１ｆ】
2007252951.tif 000008
【図１ｇ】
2007252951.tif 000009
【図２ａ】
2007252951.tif 000010
【図２ｂ】
2007252951.tif 000011
【図２ｃ】
2007252951.tif 000012
【図２ｄ】
2007252951.tif 000013
【図２ｅ】
2007252951.tif 000014
【図２ｆ】
2007252951.tif 000015
【図３】
2007252951.tif 000016
【図４】
2007252951.tif 000017
【図５】
2007252951.tif 000018
【図６】
2007252951.tif 000019
【図７】
2007252951.tif 000020
【図８】
2007252951.tif 000021
【図９】
2007252951.tif 000022
【図１０ａ】
2007252951.tif 000023
【図１０ｂ】
2007252951.tif 000024
【図１１】
2007252951.tif 000025
【図１２】
2007252951.tif 000026
【図１３】
2007252951.tif 000027
【図１４】
2007252951.tif 000028
【図１５】
2007252951.tif 000029